(57)【要約】      （修正有）【課題】本考案は配筋を切断しないで取り付けができ、断熱と気密性を併せ持ち通気を確保でき、型枠の作業時に取り付け出来る丸型断熱気密換気口を提供する。【解決手段】円筒状のガラリ付換気口に、発泡ウレタンの断熱材をダンパーとして開閉できる様にした。断熱気密性能を上げるため本体とダンパーにテーパーを付けた。基礎幅の変化に対応するため、ロッドに（開閉用心棒）ネジ溝を切り基礎幅の変化に幅広く対応できるようにした。【選択図】図１
0003125767.tif 000002
【実用新案登録請求の範囲】
【請求項１】
断熱気密ダンパーをロッドにより、開閉出来るようにした戸建て住宅の基礎用丸型換気口。
【請求項２】
前記ダンパーは、テーパーを付けた断熱材を、ロッド（開閉用心棒）で本体に締め付ける構造。
【考案の詳細な説明】
【技術分野】
【０００１】    この考案は、戸建て住宅の基礎に用いる換気口の機能と形状に関する。
【背景技術】
【０００２】  高気密高断熱仕様の戸建て住宅の基礎用で、断熱機能付の換気口は角形では実用化されているが、円形で断熱ダンパー付は無い。
【考案の開示】
【考案が解決しようとする課題】
【０００３】    角形の換気口では配筋を切断しなければ取り付け出来ない。
特に上端主筋の切断は強度上問題がある。
気密型基礎にあっては通気口が無く、高温多湿時に床下に湿気が溜まりやすい。
型枠を解体しないと取り付け施工が出来ず手間が掛かる。
基礎パッキン使用の解放型は低温乾燥時に床下の温度が外気と同一であり床下側で断熱の必要があり、気密性はない。
そこで、この考案は配筋を切断しないで取り付けが出来る。
断熱と気密性を併せ持ち通気を確保出来る。
型枠の作業時に取り付け出来る丸型断熱気密換気口を提供する事を課題とする。
【課題を解決するための手段】
【０００４】  以上の課題を解決する為に、第一の考案は断熱気密ダンパーを前後にスライド出来る構造にした事。
スライドさせる心棒がネジ付のロッドある。
基礎の厚みに対応して調整する事が出来る。
ダンパーには厚さ５０ｍｍの発泡断熱材を使用し断熱効果を計る。
断熱材の外側に厚さ３ｍｍの気密材を貼り付ける。
第２の考案は本体とダンパーの双方にテーパーを付け気密性を確保したこと。
本体外形を１５０φにし、竪の配筋の間に入れる事が出来る。
ロッドを押し込む事により本体とダンパーが離れ通気を確保できる。
ロッドを引いて倒せば、ダンパーが本体に密着する。
【考案の効果】
【０００５】  第一の考案によってダンパーの開閉が簡単に出来る
基礎幅に対応出来るため生コンの打設時に同時施工出来る。
配筋を切断しない為、基礎の強度が落ちない。
第二の考案により本体とダンパーが密着するため断熱気密効果が高い。
【考案を実施するための最良の形態】
【０００６】  この考案の実施形態を、図１．に示す。
換気口本体は塩化ビニール製筒状管であり、外部側は一般的なガラリと防虫網の内側にロッド支持部材を組み込んだ物。
内部側にダンパーと合わせるテーパーを付けた。
ダンパー側に厚さ５０ミリの発泡型断熱材を塩ビ製の板でサンドイッチ状にして、ロッドにねじ込める様にした。外周にはスポンジ状の気密材を貼り付け本体に密着するようにした。【０００７】「実施形態の効果」
この実施形態によればロッドの働きでダンパーの締め付けが容易に出来気密性が確保しやすい。
ロッドを押し込むだけで本体とダンパーが離れる為、操作が簡単で通気性も確保出来る。
生コンの打設と同時に設置出来る為、省力化に貢献する。
【図面の簡単な説明】
【０００８】
【図１】この考案の一実施形態を示す本体とダンパーの斜視図である。
【符号の説明】
【０００９】        ３  開閉用ロッド        ４  ロッドのネジ部分
５  ダンパーの外周      ６  ガラリ
７  防虫網              ８  ロッド支持部（透視図）
９  外周のテーパー角度  １０  本体内側のテーパー部
（透視図）
【図１】
0003125767.tif 000003
【手続補正書】
【提出日】平成18年7月24日(2006.7.24)
【手続補正１】
【補正対象書類名】実用新案登録請求の範囲
【補正対象項目名】全文
【補正方法】変更
【補正の内容】
【実用新案登録請求の範囲】
【請求項１】
円筒状管で構成される筐体と、
前記筐体の前面に設けられる、基礎の外部から空気を取り入れるガラリおよびロッドを支持するロッド支持部材と、
前記筐体の後面に設けられる、前記筐体と嵌合される気密ダンパーと、
前記ガラリと前記気密ダンパーとを前記筐体の中心軸上で結合するロッドとから構成され、
前記ロッドを前記筐体の後方向に伸ばすことによって気密ダンパーが前記筐体から離れ前記筐体の後部が開口され通気を確保できるようにしたことを特徴とする戸建て住宅の基礎用丸型換気口。
【請求項２】
前記気密ダンパーは、テーパーを付けた断熱材からなることを特徴とする請求項１に記載の戸建て住宅の基礎用丸型換気口。
【手続補正２】
【補正対象書類名】明細書
【補正対象項目名】全文
【補正方法】変更
【補正の内容】
【考案の詳細な説明】
【技術分野】
【０００１】
この考案は、戸建て住宅の基礎に用いる換気口の機能と形状に関する。
【背景技術】
【０００２】
高気密高断熱仕様の戸建て住宅の基礎用で、断熱機能付の換気口は角形では実用化されているが、円形で断熱ダンパー付は無い。
【考案の開示】
【考案が解決しようとする課題】
【０００３】
角形の換気口では配筋を切断しなければ取り付け出来ない。
特に上端主筋の切断は強度上問題がある。
気密型基礎にあっては通気口が無く、高温多湿時に床下に湿気が溜まりやすい。
型枠を解体しないと取り付け施工が出来ず手間が掛かる。
基礎パッキン使用の解放型は低温乾燥時に床下の温度が外気と同一であり床下側で断熱の必要があり、気密性はない。
そこで、この考案は配筋を切断しないで取り付けが出来る。
断熱と気密性を併せ持ち通気を確保出来る。
型枠の作業時に取り付け出来る丸型断熱気密換気口を提供する事を課題とする。
【課題を解決するための手段】
【０００４】
以上の課題を解決する為に、第一の考案は、円筒状管で構成される筐体と、前記筐体の前面に設けられる、基礎の外部から空気を取り入れるガラリおよびロッドを支持するロッド支持部材と、前記筐体の後面に設けられる、前記筐体と嵌合される気密ダンパーと、前記ガラリと前記気密ダンパーとを前記筐体の中心軸上で結合するロッドとから構成され、前記ロッドを前記筐体の後方向に伸ばすことによって気密ダンパーが前記筐体から離れ前記筐体の後部が開口され通気を確保できるようにしたことを特徴とする。
第２の考案は、第１の考案における気密ダンパーが、テーパーを付けた断熱材からなることを特徴とする。
【考案の効果】
【０００５】
第一の考案によってダンパーの開閉が簡単に出来る
基礎幅に対応出来るため生コンの打設時に同時施工出来る。
配筋を切断しない為、基礎の強度が落ちない。
第二の考案により本体とダンパーが密着するため断熱気密効果が高い。
【考案を実施するための最良の形態】
【０００６】
この考案の実施形態を、図１に示す。
図１において、本考案を以下に詳細に説明する。
換気口本体は塩化ビニール製円筒状管であり、外部側は一般的なガラリと防虫網の内側にロッド支持部材を組み込んだ物である。換気口本体の内部側には、ダンパーと合わせるテーパーを付けた。
ダンパー側に厚さ５０ミリの発泡型断熱材を塩ビ製の板でサンドイッチ状にして、ロッドにねじ込める様にした。外周にはスポンジ状の気密材を貼り付け本体に密着するようにした。
断熱気密ダンパーを前後にスライド出来る構造にした。スライドさせる心棒はネジ付のロッドである。これによって、基礎の厚みに対応して断熱気密ダンパーの位置を調整する事が出来る。
ダンパーには厚さ５０ミリの発泡断熱材を使用し断熱効果を計る。断熱材の外側に厚さ３ミリの気密材を貼り付ける。
また、本体とダンパーの双方にテーパーを付け気密性を確保した。本体外形を１５０ミリΦにし、竪の配筋の間に入れる事が出来る。ロッドを押し込む事により本体とダンパーが離れ通気を確保できる。ロッドを引いて倒せば、ダンパーが本体に密着する。
【０００７】
「実施形態の効果」
この実施形態によればロッドの働きでダンパーの締め付けが容易に出来気密性が確保しやすい。
ロッドを押し込むだけで本体とダンパーが離れる為、操作が簡単で通気性も確保出来る。
生コンの打設と同時に設置出来る為、省力化に貢献する。
【図面の簡単な説明】
【０００８】
【図１】この考案の一実施形態を示す本体とダンパーの斜視図である。
【符号の説明】
【０００９】
３  開閉用ロッド
４  ロッドのネジ部分
５  ダンパーの外周
６  ガラリ
７  防虫網
８  ロッド支持部（透視図）
９  外周のテーパー角度
１０  本体内側のテーパー部（透視図）